(57)【要約】【課題】バッテリが満充電に近い状態であっても、充電を行う前に充電器アダプタの特性を判別する。【解決手段】充電器アダプタを接続してバッテリを充電する充電装置であって、充電器アダプタからバッテリを充電するための電圧制御および電流制御を行う制御トランジスタと、充電器アダプタから制御トランジスタを介してリミッタ電流以上の電流を引き込んでバイパスするバイパス回路と、引き込んだ電流の電流値を検知する検知回路と、バッテリの充電制御を始める前に一時的にバイパス回路をアクティブとし、検知回路が検知した電流値に基づいて充電器アダプタの特性を判定する制御部と、を備える。【選択図】図１
2010233280.tif 000002
【特許請求の範囲】
【請求項１】
充電器アダプタを接続してバッテリを充電する充電装置であって、
前記充電器アダプタから前記バッテリを充電するための電圧制御および電流制御を行う制御トランジスタと、
前記充電器アダプタから前記制御トランジスタを介してリミッタ電流以上の電流を引き込んでバイパスするバイパス回路と、
前記引き込んだ電流の電流値を検知する検知回路と、
前記バッテリの充電制御を始める前に一時的に前記バイパス回路をアクティブとし、前記検知回路が検知した電流値に基づいて前記充電器アダプタの特性を判定する制御部と、
を備えることを特徴とする充電装置。
【請求項２】
前記検知回路は、ＦＥＴである前記制御トランジスタのゲート電圧から前記電流値を求めることを特徴とする請求項１記載の充電装置。
【請求項３】
前記制御部は、前記電流値が所定値より大きいことを前記ゲート電圧が示す場合に、前記充電器アダプタが非正規であると判定することを特徴とする請求項２記載の充電装置。
【請求項４】
前記制御部は、前記バイパス回路をアクティブとし、前記リミッタ電流の値を順次下げていくことで前記充電器アダプタの電流供給能力を判定することを特徴とする請求項１記載の充電装置。
【請求項５】
請求項１乃至４のいずれか一に記載の充電装置を備える携帯電子機器。
【請求項６】
バッテリを充電する充電装置に充電器アダプタを接続するステップと、
前記バッテリの充電制御を始める前に一時的に前記充電器アダプタからリミッタ電流以上の電流を引き込んでバイパスするステップと、
前記引き込んだ電流の電流値に基づいて前記充電器アダプタの特性を判定するステップと、
を含むことを特徴とする充電器アダプタの判別方法。
【請求項７】
前記判定するステップにおいて、前記電流値が所定値より大きい場合に、前記充電器アダプタが非正規であると判定することを特徴とする請求項６記載の充電器アダプタの判別方法。
【請求項８】
前記判定するステップにおいて、前記リミッタ電流の値を順次下げていくことで前記充電器アダプタの電流供給能力を判定することを特徴とする請求項６記載の充電器アダプタの判別方法。
【請求項９】
充電器アダプタからバッテリを充電するための電圧制御および電流制御を行う制御トランジスタと、前記充電器アダプタから前記制御トランジスタを介してリミッタ電流以上の電流を引き込んでバイパスするバイパス回路と、前記引き込んだ電流の電流値を検知する検知回路と、を備え、前記充電器アダプタを接続して前記バッテリを充電する充電装置を構成するコンピュータに、
前記バッテリの充電制御を始める前に一時的に前記バイパス回路をアクティブとする処理と、
前記検知回路が検知した電流値に基づいて前記充電器アダプタの特性を判定する処理と、
を実行させるプログラム。
【請求項１０】
前記判定する処理において、前記電流値が所定値より大きい場合に、前記充電器アダプタが非正規であると判定することを特徴とする請求項９記載のプログラム。
【請求項１１】
前記判定する処理において、前記リミッタ電流の値を順次下げていくことで前記充電器アダプタの電流供給能力を判定することを特徴とする請求項９記載のプログラム。
【発明の詳細な説明】
【技術分野】
【０００１】
本発明は、充電装置および充電器アダプタの判別方法ならびにプログラムに係り、特に、規格外の充電器アダプタが接続されたことを判別する充電装置および充電器アダプタの判別方法ならびにプログラムに係る。
【背景技術】
【０００２】
携帯電話機などの携帯電子機器は、電池パック（バッテリ、二次電池）の充電制御回路を内蔵し、充電器アダプタ（ＡＣアダプタ）を接続して、充電端子に電圧が印加されると電池パックの充電を開始するような充電装置を備えることが多い。このような充電装置に対し、規格外の非正規な充電器アダプタが接続されると、電池パックが充電されずに、携帯電子機器が動作しなくなる虞がある。さらに、充電装置が故障を起こすこともある。
【０００３】
そこで、充電装置の故障原因が、ＡＣアダプタのような外部直流電源に規格外のものが装着された場合については特定できるような充電装置が特許文献１において記載されている。この充電装置は、充電電流が流れ始めてから初めて、ＡＣアダプタが規格内のものであるか否かを、充電電流を監視することによって判別している。
【先行技術文献】
【特許文献】
【０００４】
【特許文献１】特開２００７−２０９１５６号公報
【発明の概要】
【発明が解決しようとする課題】
【０００５】
以下の分析は本発明において与えられる。
【０００６】
ところで、従来の充電装置において、バッテリが満充電に近い場合には、バッテリ側への充電電流がほとんど流れない。したがって、規格外の充電器アダプタが接続されたとしても、充電電流が流れずに規格外であると認識されることなく、そのまま動作が継続することになる。このように、同じ規格外の充電器アダプタを使用していても、バッテリの充電状態によって規格外のアダプタであることが判別できない虞がある。
【０００７】
したがって、本発明の目的は、バッテリが満充電に近い状態であっても、充電を行う前に充電器アダプタの特性を判別することが可能な充電装置および充電器アダプタの判別方法ならびにプログラムを提供することにある。
【課題を解決するための手段】
【０００８】
本発明の１つのアスペクト（側面）に係る充電装置は、充電器アダプタを接続してバッテリを充電する充電装置であって、充電器アダプタからバッテリを充電するための電圧制御および電流制御を行う制御トランジスタと、充電器アダプタから制御トランジスタを介してリミッタ電流以上の電流を引き込んでバイパスするバイパス回路と、引き込んだ電流の電流値を検知する検知回路と、バッテリの充電制御を始める前に一時的にバイパス回路をアクティブとし、検知回路が検知した電流値に基づいて充電器アダプタの特性を判定する制御部と、を備える。
【０００９】
本発明の他のアスペクト（側面）に係る充電器アダプタの判別方法は、バッテリを充電する充電装置に充電器アダプタを接続するステップと、バッテリの充電制御を始める前に一時的に充電器アダプタからリミッタ電流以上の電流を引き込んでバイパスするステップと、引き込んだ電流の電流値に基づいて充電器アダプタの特性を判定するステップと、を含む。
【００１０】
本発明のさらに他のアスペクト（側面）に係るプログラムは、充電器アダプタからバッテリを充電するための電圧制御および電流制御を行う制御トランジスタと、充電器アダプタから制御トランジスタを介してリミッタ電流以上の電流を引き込んでバイパスするバイパス回路と、引き込んだ電流の電流値を検知する検知回路と、を備え、充電器アダプタを接続してバッテリを充電する充電装置を構成するコンピュータに、バッテリの充電制御を始める前に一時的にバイパス回路をアクティブとする処理と、検知回路が検知した電流値に基づいて充電器アダプタの特性を判定する処理と、を実行させる。
【発明の効果】
【００１１】
本発明によれば、バッテリが満充電に近い状態であっても、充電を行う前に充電器アダプタの特性を判別することが可能である。
【図面の簡単な説明】
【００１２】
【図１】本発明の第１の実施例に係る充電装置の構成を示すブロック図である。
【図２】正規の充電器アダプタが使用される場合の特性を示す図である。
【図３】非正規の充電器アダプタが使用される場合の特性を示す図である。
【図４】アダプタ判定回路が存在せず、バッテリの充電電圧がほぼ満充電電圧に近い場合の特性を示す図である。
【図５】本発明の第１の実施例に係る充電装置の動作を表すフローチャートである。
【図６】充電器アダプタの判定におけるフローチャートである。
【図７】本発明の第１の実施例に係る充電器アダプタの判定方法を表すタイミングチャートである。
【図８】本発明の第２の実施例に係る充電装置の動作を表すフローチャートである。
【図９】本発明の第２の実施例に係る充電器アダプタの判定方法を表すタイミングチャートである。
【発明を実施するための形態】
【００１３】
本発明の実施形態に係る充電装置（図１の２０）は、充電器アダプタ（図１の１）を接続してバッテリ（図１の５）を充電する充電装置であって、充電器アダプタからバッテリを充電するための電圧制御および電流制御を行う制御トランジスタ（図１の３）と、充電器アダプタから制御トランジスタを介してリミッタ電流以上の電流を引き込んでバイパスするバイパス回路（図１の１６４、１６５に相当）と、引き込んだ電流の電流値を検知する検知回路（図１の１６１に相当）と、バッテリの充電制御を始める前に一時的にバイパス回路をアクティブとし、検知回路が検知した電流値に基づいて充電器アダプタの特性を判定する制御部（図１の１５）と、を備える。
【００１４】
検知回路は、ＦＥＴである制御トランジスタのゲート電圧から電流値を求めるようにしてもよい。
【００１５】
制御部は、電流値が所定値より大きいことをゲート電圧が示す場合に、充電器アダプタが非正規（規格外）であると判定するようにしてもよい。
【００１６】
制御部は、バイパス回路をアクティブとし、リミッタ電流の値を順次下げていくことで充電器アダプタの電流供給能力を判定するようにしてもよい。
【００１７】
携帯電子機器は、上記の充電装置を備えるようにしてもよい。
【００１８】
以上のような構成の充電装置によれば、バッテリがどのような充電状態であろうと、充電器アダプタの特性を判別することができ、それによる安全な対処をとることができる。例えば、充電の開始時点から電池パックや機器本体に対して発熱の対策を講じることができる。また、リミッタ電流の値を可変することで、どれだけの能力を持った充電器アダプタであるのかを判別することができる。さらに、通信機器に適合した充電器アダプタであるかどうかも判断することができる。
【００１９】
以下、実施例に即し、図面を参照して詳しく説明する。
【実施例１】
【００２０】
図１は、本発明の第１の実施例に係る充電装置の構成を示すブロック図である。図１において、充電装置２０は、バッテリ（電池パック）５に充電電流を供給する充電器アダプタ１を接続してバッテリ（電池パック）５の充電を行う。
【００２１】
充電装置２０は、充電電流をモニタする検出抵抗２、充電電流及び充電電圧を制御するＦＥＴ３、充電のオン／オフの制御を行うＦＥＴ４、検出抵抗２の両端間の電圧をモニタして充電電流を電圧に変換する充電電流センス回路６、ＦＥＴ３に対して充電電流の制御を行うアンプ７、ＦＥＴ３に対して充電電圧の制御を行うアンプ８、ＦＥＴ４をオン／オフさせるためのバッファ回路９、充電器アダプタ１の電圧をモニタして異常な電圧もしくは充電可能な電圧を検出するアダプタ電圧検出部１０、充電電流センス回路６からの電圧を入力してリミッタ電流および完了電流の充電電流を検出する電流検出部１１、充電電流を定める定電流用のリファレンス回路１２、充電電圧を定める定電圧用のリファレンス回路１３、電池状態を検出する電池電圧検出部１４、充電制御部１５、アダプタ判定回路１６を備える。
【００２２】
充電制御部１５は、アダプタ電圧検出部１０、電流検出部１１、電池電圧検出部１４、アダプタ判定回路１６からの情報、温度情報、およびＣＰＵからの信号を元に、バッファ回路９、リファレンス回路１２、１３、アダプタ判定回路１６、の各部の制御を行う。なお、充電制御部１５は、プロセッサを内蔵し、このプロセッサにプログラムを実行させることで各部の制御を行うようにしてもよい。
【００２３】
アダプタ判定回路１６は、ＦＥＴ３のゲート電圧をモニタする端子電圧検出コンパレータ１６１と、充電器アダプタ１の判定時にＦＥＴ４のオン／オフと排他的に動作するように切り替えるスイッチ回路１６２と、定電圧用のアンプ８に比較電圧をフィードバックするスイッチ回路１６３と、負荷抵抗１６４と、負荷抵抗１６４に直列接続されリミット電流の引き込みを行う電流源１６５とを備える。
【００２４】
端子電圧検出コンパレータ１６１は、充電器アダプタ１を接続し、ＦＥＴ４をオフ状態、すなわち充電を行っていない状態において、バイパス回路に相当する負荷抵抗１６４および電流源１６５にリミット電流以上の電流を引き込んでバイパスさせ、そのときのＦＥＴ３のゲート電圧を検知する。充電制御部１５は、ＦＥＴ３のゲート電圧が一定の電圧以上である場合に充電器アダプタ１が非正規品の異常なアダプタであると判断する。
【００２５】
まず、正規の充電器アダプタが使用される場合の充電装置２０の動作について説明する。図２は、正規の充電器アダプタ１が使用される場合の充電特性を示す図である。時間０において充電器アダプタ１が接続されると、電池電圧がある一定の電圧（例えば３Ｖ）に達するまで少ない充電電流でトリクル充電を行う（期間Ｔ１）。ある一定の電圧を超えると、定電流充電を開始し、電池電圧が満充電電圧（例えば４．２Ｖ）に達するまで、充電器アダプタ１で流すことができる電流で充電を行う（期間Ｔ２）。バッテリ５の電圧が満充電電圧に達すると、定電圧充電に切り替え、ＦＥＴ３によって、満充電電圧を超えないようにゲート電圧を制御しながら充電を行う（期間Ｔ３）。定電圧充電でバッテリ５側への充電電流が少なくなっていき、ある充電電流を下回ったことを検出すると、ＦＥＴ３、４をそれぞれオフすることで充電を完了する（期間Ｔ４）。
【００２６】
この一連の充電動作における発熱量は、定電流充電時は、ＦＥＴ３、４が完全にオンしているので、ＦＥＴ３、４のオン抵抗と検出抵抗２の和と、定電流時の電流の２乗の積から算出される。また、定電圧充電時の発熱量は、充電器電圧と電池電圧の差分と充電電流の積で表される。
【００２７】
ここで、充電器アダプタ１に電流制限がないような非正規品などが使用された場合、定電流充電時に充電制御側で、リミッタ制御を掛けなければならない。そのため、ＦＥＴ３のゲート電圧を制御して電流を制限する必要がある。このときの発熱量は、図３に示すように、充電電流一定で、充電器アダプタ１の電圧とバッテリ５の電圧の電位差によって算出されるため、図２の定電流充電時の発熱に比べて大きいものになってしまう。したがって、充電器アダプタ１が非正規品であることが判明した場合には、充電電流を発熱に影響のない様に絞るなどの対処を行うことが好ましい。
【００２８】
ところで、アダプタ判定回路１６が存在せず、図４に示すようにバッテリ５の充電電圧がほぼ満充電電圧に近い場合、非正規品の充電器アダプタ１が接続されると、充電器アダプタ１の電圧をモニタすることができるが、電流はリミット電流まで流れない。このため、非正規品であることを検出できない。したがって、同じ非正規品の充電器アダプタであっても、電池の充電状態によって、非正規品と判断したり、しなかったりする場合が生じる。
【００２９】
これに対し、本発明の充電装置２０は、バッテリ５の充電状態がどんな状態であろうと、アダプタ判定回路１６によって充電器アダプタ１が正規品であるか否かを検出することができる。
【００３０】
図５は、本発明の第１の実施例に係る充電装置の動作を表すフローチャートである。図５において、充電装置２０は、充電器アダプタ１を接続し、充電器アダプタ１の判定を行うまでのシーケンスを表す。
【００３１】
バッテリ５の動作の状態において充電器アダプタ１が接続される（ステップＡ１）。
【００３２】
充電制御部１５は、アダプタ電圧検出部１０によって、充電器アダプタ１の電圧を確認し（ステップＡ２）、ある一定以上の電圧であれば（ステップＡ２のＹｅｓ）、内部のデバイスの破壊等が考えられるため、ＦＥＴ３、ＦＥＴ４で充電回路をオフする（ステップＡ５）。
【００３３】
そして、システム安全上の問題がないように充電を停止するか、もしくは電流だけの異常の判断であれば、トリクル充電のみで行うなどの対処をシステム側で対応する（ステップＡ９）。
【００３４】
さらに、充電器アダプタ１が異常品であることを、図示されないＬＣＤの画面やＬＥＤなどに表示することでユーザに通知し（ステップＡ１０）、一連の動作を終了する。
【００３５】
ステップＡ２において、充電器アダプタ１に異常電圧が見られなければ（ステップＡ２のＮｏ）、ハードリセットが解除されるまで（ステップＡ３のＮｏ）、すなわちシステムが立ち上がる電圧に到達するまで、トリクル充電を行う（ステップＡ４）。
【００３６】
バッテリ５の電圧が上昇しハードリセットが解除されて、システムが立ち上がると（ステップＡ３のＹｅｓ）、一度充電回路をオフするためにＦＥＴ３、ＦＥＴ４をオフにする（ステップＡ６）。
【００３７】
この状態において、充電制御部１５は、充電器アダプタ１が正規品であるか否かの判定を行う（ステップＡ７）。この判定において、正規品であると判定した場合（ステップＡ７のＹｅｓ）、通常の充電を開始し（ステップＡ８）、一連の動作を終了する。
【００３８】
一方、充電制御部１５は、充電器アダプタ１が非正規品のアダプタであると判断した場合（ステップＡ７のＮｏ）、システム安全上の問題ないように、充電を停止する対処を行う。あるいは電流だけの異常の判断であればトリクル充電のみで行うなどの対処を行い（ステップＡ９）、ステップＡ１０に進む。
【００３９】
次に、充電器アダプタ１の判定（ステップＡ７）について、より詳しく説明する。図６は、充電器アダプタ１の判定におけるフローチャートである。図６では、充電アダプタ１が接続されて、システムがオンし、かつＦＥＴ３、４がオフの状態からスタートする（図５のＡ６に相当）。
【００４０】
充電器アダプタ１の判定に際し、充電制御部１５は、スイッチ回路１６２、１６３を、定電流源側（負荷抵抗１６４側）に接続すると共に、ＦＥＴ３をオンするように制御する（ステップＢ１）。
【００４１】
この場合、電流検出部１１で検出される電流よりも多い電流（電流源１６５の電流Ｉｌｉｍｉｔ）での引き込みがなされる（ステップＢ２）。
【００４２】
充電制御部１５は、アダプタ電圧検出部１０によって充電器アダプタ１の電圧を確認し（ステップＢ３）、端子電圧検出コンパレータ１６１によってＦＥＴ３のゲート電圧のモニタを行う（ステップＢ４）。
【００４３】
充電器アダプタ１の電圧が異常である場合（ステップＢ３のＹｅｓ）、充電制御部１５は、デバイスの安全性のために充電回路をオフ（ＦＥＴ３、４をオフ）し（ステップＢ５）、充電器アダプタ１が非正規の充電器アダプタであるとして判定する（ステップＢ６）。
【００４４】
また、リミッタ電流以上の電流の引き込みがあった場合、充電回路側でリミッタ電流の保護がかかるので、電流制限のない非正規の充電器アダプタ１から流れ出す電流は、リミッタ電流に抑えられる。このため、ＦＥＴ３のゲート電圧が上昇し、端子電圧検出コンパレータ１６１がＨレベルを出力する（ステップＢ４のＨ：検出）。充電制御部１５は、この信号を受けて充電器アダプタ１を非正規のアダプタとして判定し（ステップＢ６）、スイッチ回路１６２およびＦＥＴ３をオフし、電流の引き込みを終了する（ステップＢ７）。
【００４５】
逆にリミッタがかからない状態であれば、ＦＥＴ３は、電流源１６５の電流Ｉｌｉｍｉｔを流そうとするので、ＦＥＴ３のゲート電圧はＧＮＤレベルを維持し、端子電圧検出コンパレータ１６１の出力はＬレベルのままとなり（ステップＢ４のＬ：非検出）、充電制御部１５は、充電器アダプタ１を正規品アダプタとして判定する（ステップＢ８）。
【００４６】
充電制御部１５は、スイッチ回路１６２およびＦＥＴ３をオフし、電流の引き込みを終了させ（ステップＢ９）、通常の充電を開始する。
【００４７】
図７は、本発明の第１の実施例に係る充電器アダプタの判定方法を表すタイミングチャートである。図７において、充電器アダプタ１の電圧異常はないものとしている。トリクル充電の期間Ｔ１の後、アダプタ判定期間Ｔ１０において、ハードウェアリセットが解除され、システムが立ち上がると、一度充電をオフして電池電圧に影響がない様にする。そして、電流を流し込むことで端子電圧検出コンパレータ１６１によってＦＥＴ３のゲート電圧をモニタして、充電器アダプタ１の正規品／非正規品を判断する。図７において、充電電圧、電池電圧、充電電流、ＦＥＴ３、ＦＥＴ４、端子電圧検出コンパレータ１６１の出力に関し、実線は正規品の充電器アダプタが接続された場合の振る舞いを示し、点線は、非正規品の充電器アダプタが接続された場合の振る舞いを示す。非正規品は判定後、充電をオフとしている。
【実施例２】
【００４８】
図８は、本発明の第２の実施例に係る充電装置の動作を表すフローチャートである。図６において、図６の同一の符号は同一の処理を行い、その説明を省略する。第２の実施例では、充電制御部１５は、充電器アダプタ１を正常アダプタと認識した後、リミッタ電流を下げていき、ＦＥＴ３のゲート電圧を上昇させる。この時、端子電圧検出コンパレータ１６１がＨレベルを出力したときのリミッタ電流値から、充電器アダプタ１がどのくらいの電流能力を持った充電器アダプタであるのかを推測する。
【００４９】
ステップＢ８において、充電制御部１５は、充電器アダプタ１を正規品の充電器アダプタと判定した後、定電流用のリファレンス回路１２が決定する充電電流の値を、リミット電流値をより小さくなるように設定し（ステップＢ１０）、ＦＥＴ３のゲート電圧を確認する（ステップＢ１１）。変更したリミット電流値よりも流している電流が多ければ、ＦＥＴ３のゲート電圧が上昇して端子電圧検出コンパレータ１６１がＨレベルになる（ステップＢ１１のＨ：検出）。これによって、正規品の充電器アダプタで電流能力がどのくらいのものであるかの判断を行うことができる（ステップＢ１２）。
【００５０】
一方、充電電流の値が、変更したリミット電流値よりも低い場合は、端子電圧検出コンパレータ１６１がＬレベルである（反応しない）ため（ステップＢ１１のＬ：非検出）、ステップＢ１０に戻り、さらにリミット電流を低く設定する。
【００５１】
ステップＢ１０、Ｂ１１を繰り返すことで、リミット電流を徐々に下げて正規品の充電器アダプタ１の電流能力を判定することができる。充電器アダプタ１の電流能力の判定が終わると、スイッチ回路１６２、１６３を元に戻し（ステップＢ１３）、リミッタ電流をリセット（ステップＢ１４）し、充電器アダプタ１の判定を完了する。
【００５２】
図９は、本発明の第２の実施例に係る充電器アダプタの判定方法を表すタイミングチャートである。トリクル充電の期間Ｔ１の後、アダプタ能力判定期間Ｔ２０において、ハードウェアリセットが解除され、すなわちシステムが立ち上がると、一度充電をオフして電池電圧に影響がない様にする。そして、電流を流し込むことによって端子電圧検出コンパレータ１６１でＦＥＴ３のゲート電圧をモニタして、充電器アダプタ１の能力を判断する。
【００５３】
図９において、アダプタ能力判定期間Ｔ２０のタイミングｔ１０で、リミット電流値を一段下げ、さらに、タイミングｔ１１で、リミット電流値をさらに一段下げた所で、端子電圧検出コンパレータ１６１がＨレベルに変化している。すなわち、タイミングｔ１１で設定したリミット電流値が充電器アダプタ１の電流能力を示している。
【００５４】
充電器アダプタの電流能力の判定が終了したならば、タイミングｔ１２で、リセットし、充電を開始する（期間Ｔ２）。この時、充電器アダプタ１の電流能力が低い場合には、ユーザに対して充電時間が延びる等の情報を通知するようにしてもよい。
【００５５】
なお、前述の特許文献等の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００５６】
１  充電器アダプタ
２  検出抵抗
３、４  ＦＥＴ
５  バッテリ
６  充電電流センス回路
７、８  アンプ
９  バッファ回路
１０  アダプタ電圧検出部
１１  電流検出部
１２、１３  リファレンス回路
１４  電池電圧検出部
１５  充電制御部
１６  アダプタ判定回路
２０  充電装置
１６１  端子電圧検出コンパレータ
１６２、１６３  スイッチ回路
１６４  負荷抵抗
１６５  電流源
【図１】
2010233280.tif 000003
【図２】
2010233280.tif 000004
【図３】
2010233280.tif 000005
【図４】
2010233280.tif 000006
【図５】
2010233280.tif 000007
【図６】
2010233280.tif 000008
【図７】
2010233280.tif 000009
【図８】
2010233280.tif 000010
【図９】
2010233280.tif 000011